【手続補正書】
【提出日】平成25年7月12日(2013.7.12)
【手続補正１】
【補正対象書類名】特許請求の範囲
【補正対象項目名】全文
【補正方法】変更
【補正の内容】
【特許請求の範囲】
【請求項１】
二酸化炭素、硫化水素、硫黄酸化物、窒素酸化物および一酸化炭素からなる群から選択される1種または複数種のガスを流体から吸収する方法であって、
選択されたガスを含有する流体と、
以下の成分:
1種または複数種のアニオンと、
1種または複数種の金属種と、
場合により、1種または複数種の有機カチオンと、
場合により、1種または複数種のリガンドと、
を含むイオン性液体吸収剤であって、前記吸収剤が前記方法の作動する温度および圧力で液体状態であるように前記吸収剤の各成分が選択される、イオン性液体吸収剤と、
を提供するステップであって、
ただし、
前記アニオンが、アミン官能基およびスルホネート官能基の両方、アミン官能基およびカルボキシレート官能基の両方、ホスフィン官能基およびスルホネート官能基の両方、またはホスフィン官能基およびカルボキシレート官能基の両方を同じ分子実体中に含有する場合、前記金属種はアルカリ金属でもアルカリ土類金属でもなく、
前記アニオンおよび/または金属種は銅酸塩を形成せず、
前記アニオンおよび/または金属種が金属ハロゲン化物を形成する場合、前記イオン性液体吸収剤は1種または複数種のリガンドを含む、ステップと、
前記選択されたガスが前記金属種と相互作用するように、前記流体と前記イオン性液体吸収剤とを接触させるステップと、
前記選択されたガスの少なくとも一部を吸収したイオン性液体を捕集するステップと、
を含む、二酸化炭素、硫化水素、硫黄酸化物、窒素酸化物および一酸化炭素からなる群から選択される1種または複数種のガスを流体から吸収する方法。
【請求項２】
前記アニオンが、置換アミド;置換イミド;安定なカルボアニオン;ヘキサハロホスフェート;テトラハロボレート;ハライド;シアネート;イソシアネート;チオシアネート;無機硝酸塩;有機硝酸塩;亜硝酸塩;オキシ硫黄種;スルホネート;オキシリン種;場合により置換および/またはハロゲン化されたアルキルホスフェートモノ、ジおよびトリエステル;場合により置換および/またはハロゲン化されたアリールホスフェートモノ、ジおよびトリエステル;混合置換されたホスフェートジおよびトリエステル;場合により置換および/またはハロゲン化されたアルキルホスフェート;場合により置換および/またはハロゲン化されたアリールホスフェート;ハロゲン、アルキルまたはアリールで混合置換されたホスフェート;カルボキシレート;カーボネート;シリケート;オルガノシリケート;ボレート;アルキルボラン;アリールボラン;脱プロトン化された酸性複素環化合物;アルキルオキシ化合物;アリールオキシ化合物;α〜ωジケトネート;α〜ωアセチルケトネート;および金属錯体イオンからなる群から選択される、請求項1に記載の方法。
【請求項３】
前記1種または複数種の金属種が3d遷移金属、4d遷移金属、5d遷移金属、2a族典型金属および3a族典型金属からなる群から選択される、請求項1に記載の方法。
【請求項４】
前記金属種が前記イオン性液体吸収剤に溶解しているか、または前記イオン性液体吸収剤に懸濁または分散している、請求項1に記載の方法。
【請求項５】
前記有機カチオンが、ボロニウム(R2L'L''B+)、カルボカチオン(R3C+)、アミジニウム(RC(NR2)2+)、グアニジニウム(C(NR2)3+)、シリリウム(R3Si+)、アンモニウム(R4N+)、オキソニウム(R3O+)、ホスホニウム(R4P+)、アルソニウム(R4As+)、アンチモニウム(R4Sb+)、スルホニウム(R3S+)、セレノニウム(R3Se+)、ヨードニウム(IR2+)カチオン、およびそれらの置換誘導体からなる群から選択され、式中、
Rは、Y、YO-、YS-、Y2N-またはハロゲンからなる群から独立に選択され、
Yは、1価の有機基またはHであり、
L'およびL''は、同一であっても異なっていてもよいリガンドであり、L'およびL''は全体としての正味の電荷がゼロである、
請求項1に記載の方法。
【請求項６】
前記有機カチオンが、1つまたは複数のヘテロ原子を場合により含有する飽和または不飽和の環式または非環式カチオンである、請求項1に記載の方法。
【請求項７】
前記有機カチオンが、置換および非置換のピリジニウム(C5R6N+)、ピリダジニウム、ピリミジニウム、ピラジニウム、イミダゾリウム(C3R5N2+)、ピラゾリウム、チアゾリウム、トリアゾリウム(C2R4N3+)、オキサゾリウム、ならびに置換および非置換の多環系相当物からなる群から選択される不飽和複素環カチオンであるか、または置換および非置換のピロリジニウム、ピペリジニウム、ピペラジニウム、モルホリニウム、アゼパニウム、イミダゾリニウム(C3R7N2+)、およびそれらの置換および非置換の多環系相当物からなる群から選択される飽和複素環カチオンである、請求項6に記載の方法。
【請求項８】
二酸化炭素、硫化水素、硫黄酸化物、窒素酸化物および一酸化炭素からなる群から選択される1種または複数種のガスを吸収したイオン性液体から、ガスを脱着する方法であって、
1種または複数種の選択されたガスを吸収したイオン性液体吸収剤を提供するステップと、
前記選択されたガスを吸収したイオン性液体吸収剤を、ガスが放出されるように処理するステップと、
前記放出されたガスを捕集するステップと、
を含み、
前記イオン性液体吸収剤は、以下の成分:
1種または複数種のアニオンと、
1種または複数種の金属種と、
場合により、1種または複数種の有機カチオンと、
場合により、1種または複数種のリガンドと、
を含み、前記吸収剤が前記方法の作動する温度および圧力で液体状態あるように前記吸収剤の各成分が選択され、
ただし、
前記アニオンが、アミン官能基およびスルホネート官能基の両方、アミン官能基およびカルボキシレート官能基の両方、ホスフィン官能基およびスルホネート官能基の両方、またはホスフィン官能基およびカルボキシレート官能基の両方を同じ分子実体中に含有する場合、前記金属種はアルカリ金属でもアルカリ土類金属でもなく、
前記アニオンおよび/または金属種は銅酸塩を形成せず、
前記アニオンおよび/または金属種が金属ハロゲン化物を形成する場合、前記イオン性液体吸収剤は1種または複数種のリガンドを含む、二酸化炭素、硫化水素、硫黄酸化物、窒素酸化物および一酸化炭素からなる群から選択される1種または複数種のガスを吸収したイオン性液体から、ガスを脱着する方法。
【請求項９】
前記アニオンが、置換アミド;置換イミド、安定なカルボアニオン;ヘキサハロホスフェート;テトラハロボレート;ハライド;シアネート;イソシアネート;チオシアネート;無機硝酸塩;有機硝酸塩;亜硝酸塩;オキシ硫黄種;スルホネート;オキシリン種;場合により置換および/またはハロゲン化されたアルキルホスフェートモノ、ジおよびトリエステル;場合により置換および/またはハロゲン化されたアリールホスフェートモノ、ジおよびトリエステル;混合置換されたホスフェートジおよびトリエステル;場合により置換および/またはハロゲン化されたアルキルホスフェート;場合により置換および/またはハロゲン化されたアリールホスフェート;ハロゲン、アルキルまたはアリールで混合置換されたホスフェート;カルボキシレート;カーボネート;シリケート;オルガノシリケート;ボレート;アルキルボラン;アリールボラン;脱プロトン化された酸性複素環化合物;アルキルオキシ化合物;アリールオキシ化合物;α〜ωジケトネート;α〜ωアセチルケトネート;および金属錯体イオンからなる群から選択される、請求項8に記載の方法。
【請求項１０】
前記1種または複数種の金属種が、3d遷移金属、4d遷移金属、5d遷移金属、2a族典型金属および3a族典型金属からなる群から選択される、請求項8に記載の方法。
【請求項１１】
前記金属種が前記イオン性液体吸収剤に溶解しているか、または前記イオン性液体吸収剤中に懸濁または分散している、請求項8に記載の方法。
【請求項１２】
前記有機カチオンが、ボロニウム(R2L'L''B+)、カルボカチオン(R3C+)、アミジニウム(RC(NR2)2+)、グアニジニウム(C(NR2)3+)、シリリウム(R3Si+)、アンモニウム(R4N+)、オキソニウム(R3O+)、ホスホニウム(R4P+)、アルソニウム(R4As+)、アンチモニウム(R4Sb+)、スルホニウム(R3S+)、セレノニウム(R3Se+)、ヨードニウム(IR2+)カチオン、およびそれらの置換誘導体からなる群から選択され、式中、
Rは、Y、YO-、YS-、Y2N-またはハロゲンからなる群から独立に選択され、
Yは1価の有機基またはHであり、
L'およびL''は、同一であっても異なっていてもよいリガンドであり、L'およびL''は全体として正味の電荷がゼロである、
請求項8に記載の方法。
【請求項１３】
前記有機カチオンが、1つもしくは複数のヘテロ原子を場合により含有する飽和または不飽和の環式または非環式カチオンである、請求項8に記載の方法。
【請求項１４】
前記有機カチオンが、置換および非置換のピリジニウム(C5R6N+)、ピリダジニウム、ピリミジニウム、ピラジニウム、イミダゾリウム(C3R5N2+)、ピラゾリウム、チアゾリウム、トリアゾリウム(C2R4N3+)、オキサゾリウム、および置換および非置換の多環系相当物からなる群から選択される不飽和複素環カチオンであるか、または置換および非置換のピロリジニウム、ピペリジニウム、ピペラジニウム、モルホリニウム、アゼパニウム、イミダゾリニウム(C3R7N2+)、およびそれらの置換および非置換の多環系相当物からなる群から選択される飽和複素環カチオンである、請求項13に記載の方法。
【請求項１５】
前記選択されたガスの脱着が電気化学的方法により、または前記1種または複数種の選択されたガスを吸収したイオン性液体を冷却することにより達成される、請求項8に記載の方法。